(57)【特許請求の範囲】
【請求項１】
水道本管等に装着した割Ｔ字管に取付けられた仕切弁を、不断水状態で撤去する撤去方法であって、
前記仕切弁を全閉させた状態で、その流路の中心に向かって進退可能に保持されたロッドを前進させ、その先端に着脱可能に取付けられた、径方向に拡張可能な止水部材を前記仕切弁の開口端部内に嵌挿して仮止水する行程と、前記仕切弁を全開してロッドをさらに前進させ、前記止水部材を前記割Ｔ字管の分岐管部内まで挿入して仮止水状態に保持する行程と、前記止水部材を分岐管部内において拡張させて止水したのち、この止水状態において割Ｔ字管の分岐管部より仕切弁を取外し、前記ロッドを囲むようにして支持する行程と、分岐管部の開口端面に、少なくとも２分割構造の固定具を取付けて止水部材を抜け止めする行程と、止水部材より前記ロッドを取外してこれを後退させたのち、前記仕切弁を撤去する行程と、前記固定具の開口部を閉塞する行程とを含むことを特徴とする仕切弁の不断水撤去方法。
【請求項２】
ロッドの外周面に、仮止めフランジ板を、水密性を保持して、かつ軸方向に摺動可能に嵌合しておき、この仮止めフランジ板を仕切弁の開口端面に固着したのち、止水部材を割Ｔ字管の分岐管部内に嵌挿することを特徴とする請求項１に記載の仕切弁の不断水撤去方法。
【請求項３】
仕切弁の撤去後において、ロッドに一体構造の固定具を遊嵌し、再度ロッドの先端を分岐管部内の止水部材に取付けたのち、先に取付けた分割構造の固定具を取外して前記一体構造の固定具に付け換え、そののち、ロッドを止水部材より取外して、固定具の開口部を閉塞することを特徴とする請求項１または２に記載の仕切弁の不断水撤去方法。
【請求項４】
水道本管における割Ｔ字管を挟む両側に、管と直交する方向に突出させて取外し可能に固定された支持体と、該支持体に、ねじ送り操作機構により前記割Ｔ字管の分岐管部に取付けた仕切弁の流路の中心に向かって進退移動可能に設けられ、かつ先端に、前記分岐管部内において径方向に拡張させて止水可能な止水部材が着脱可能として取付けられた中空状の進退ロッドと、該進退ロッド内に軸方向に移動可能に嵌挿され、かつ先端に、後方に引き込むことにより、前記止水部材のテーパ孔内に嵌入して止水部材を拡張させる押圧部材が着脱可能として取付けられた移動ロッドと、前記止水部材を前記分岐管部内において拡張させ、該分岐管部より前記仕切弁を取外したのち、分岐管部の端面に、前記進退ロッド及び移動ロッドがそれぞれ止水部材と押圧部材より取外し可能に固定され、かつ止水部材とその押圧部材の抜け出しを防止する少なくとも２分割構造の固定具とを備えることを特徴とする仕切弁の不断水撤去装置。
【請求項５】
固定具を、複数のボルト挿通孔を有する１対の半円板よりなるものとし、かつそれらの突合わせ部の一方の端部上面に、各半円板における他方の端部上面に互いに重合し合う補強片を固着するとともに、その重合部側に、前記ボルト挿通孔と整合する通孔を穿設することにより、補強片と半円板とを共締め可能とした請求項４に記載の仕切弁の不断水撤去装置。
【発明の詳細な説明】
【０００１】
【発明の属する技術分野】
本発明は、水道本管等に取付けられた仕切弁を、不断水状態で撤去する方法及びその装置に関する。
【０００２】
【従来の技術】
水道本管に装着された割Ｔ字管の分岐部に仕切弁を取付け、この仕切弁に取付けた分岐管を不断水状態で取外すには、仕切弁により水道本管から分岐管への水の流れを遮断して行われる。
【０００３】
従って、分岐管を取外したのち、仕切弁はそのままとして残されることが多く、水道本管よりの側方への突出量が大きくなることから、その近傍を掘削する際に支障を来したり、掘削機により仕切弁を破損させたりする恐れがある。
【０００４】
この問題点を解決するようにした従来の工法としては、例えば、特開昭６３−１３９９７号公報に記載されているものがある。
【０００５】
【発明が解決しようとする課題】
上記従来の工法では、水道本管に装着した割Ｔ字管の分岐管部を、操作手段のロッドの先端に取付けたシール材により仮止水したままの状態で、仕切弁を取外すようにしているため、取外した仕切弁は操作手段のロッドを囲んで残されており、その後の本止水作業を終了し、操作手段を取外すまでは完全に撤去することができないようになっている。
【０００６】
そのため、残された仕切弁が障害となってその後のロッド等の取外し作業等に支障を来さないようにするためには、操作手段のロッドの寸法を大として、取外した仕切弁を水道本管より大きく離間させ、十分な作業スペースを確保する必要がある。
【０００７】
しかし、このようにすると、操作手段の突出寸法が大となるため、水道本管の埋設地盤に大きな作業用ピットを掘削しなければならず、その作業や埋め戻し作業に時間がかかって作業能率が低下する。
【０００８】
また、大型の仕切弁では、その重量が操作手段のロッドに加わると、本止水作業が不能となる恐れがあるので、取外した仕切弁を工事終了時まで吊支したり支持しておくための装置等が別途必要となる。
【０００９】
さらに、上記従来のものは、本止水する際のシール材の圧接作業を、分岐管部内において複数の引寄せボルトを締込んで行うようにしているため、作業性が悪く、また複数のボルトを均等に締込んでシール材を径方向に均一に拡張させないと、漏水する恐れがある。
【００１０】
本発明は、上記問題点を解決するためになされたもので、本止水した後の作業を、仕切弁を完全に撤去して行いうるようにすることにより、作業性を向上させるとともに、大きな作業用スペースを確保する必要がなく、かつ簡単で確実に止水を行うことができるようにした仕切弁の不断水撤去方法及びその装置を提供することを目的としている。
【００１１】
【課題を解決するための手段】
上記目的を達成するために、本発明の仕切弁の不断水撤去方法は、水道本管等に装着した割Ｔ字管に取付けられた仕切弁を、不断水状態で撤去する撤去方法であって、
前記仕切弁を全閉させた状態で、その流路の中心に向かって進退可能に保持されたロッドを前進させ、その先端に着脱可能に取付けられた、径方向に拡張可能な止水部材を前記仕切弁の開口端部内に嵌挿して仮止水する行程と、前記仕切弁を全開してロッドをさらに前進させ、前記止水部材を前記割Ｔ字管の分岐管部内まで挿入して仮止水状態に保持する行程と、前記止水部材を分岐管部内において拡張させて止水したのち、この止水状態において割Ｔ字管の分岐管部より仕切弁を取外し、前記ロッドを囲むようにして支持する行程と、分岐管部の開口端面に、少なくとも２分割構造の固定具を取付けて止水部材を抜け止めする行程と、止水部材より前記ロッドを取外してこれを後退させたのち、前記仕切弁を撤去する行程と、前記固定具の開口部を閉塞する行程とを含むことを特徴としている。
上記方法によると、割Ｔ字管の分岐管部を本止水した後に、分割構造の固定具を取付けて止水部材の抜け出しを防止しているので、ロッドを止水部材より取外して仕切弁を完全に撤去することができる。従って、その後の作業が能率的となる。
また、従来のように、ロッドを長寸として大きな作業スペースを確保したり、大きな作業用ピットを掘削したり、最後まで取外した仕切弁を保持するなどしなくてもよく、作業性が向上するとともに、工費が削減される。
【００１２】
上記方法において、ロッドの外周面に、仮止めフランジ板を、水密性を保持して、かつ軸方向に摺動可能に嵌合しておき、この仮止めフランジ板を仕切弁の開口端面に固着したのち、止水部材を割Ｔ字管の分岐管部内に嵌挿するのが好ましい。
このようにすると、水圧が比較的高く、仮止水した止水部材より漏水しても、仮止めフランジ板により外部に漏出するのが防止される。
【００１３】
上記方法において、仕切弁の撤去後において、ロッドに一体構造の固定具を遊嵌し、再度ロッドの先端を分岐管部内の止水部材に取付けたのち、先に取付けた分割構造の固定具を取外して前記一体構造の固定具に付け換え、そののち、ロッドを止水部材より取外して、固定具の開口部を閉塞するのが好ましい。
このようにすると、水圧が高くても、一体構造の固定具により止水部材の抜け防止が確実に行われる。
【００１４】
上記目的を達成するために、本発明の仕切弁の不断水撤去装置は、水道本管における割Ｔ字管を挟む両側に、管と直交する方向に突出させて取外し可能に固定された支持体と、該支持体に、ねじ送り操作機構により前記割Ｔ字管の分岐管部に取付けた仕切弁の流路の中心に向かって進退移動可能に設けられ、かつ先端に、前記分岐管部内において径方向に拡張させて止水可能な止水部材が着脱可能として取付けられた中空状の進退ロッドと、該進退ロッド内に軸方向に移動可能に嵌挿され、かつ先端に、後方に引き込むことにより、前記止水部材のテーパ孔内に挿入して止水部材を拡張させる押圧部材が着脱可能として取付けられた移動ロッドと、前記止水部材を前記分岐管部内において拡張させ、該分岐管部より前記仕切弁を取外したのち、分岐管部の端面に、前記進退ロッド及び移動ロッドがそれぞれ止水部材と押圧部材より取外し可能に固定され、かつ止水部材とその押圧部材の抜け出しを防止する少なくとも２分割構造の固定具とを備えることを特徴としている。
上記装置によると、比較的簡単な装置で、仕切弁を容易に撤去しうるとともに、移動ロッドの操作のみで、止水部材を径方向に均一に拡張しうるため、止水が確実となる。
【００１５】
上記装置において、固定具を、複数のボルト挿通孔を有する１対の半円板よりなるものとし、かつそれらの突合わせ部の一方の端部上面に、各半円板における他方の端部上面に互いに重合し合う補強片を固着するとともに、その重合部側に、前記ボルト挿通孔と整合する通孔を穿設することにより、補強片と半円板とを共締め可能とするのが好ましい。
このようにすると、２分割構造の固定具であっても、互いの突合わせ部の両側部が、共締め可能な補強片により補強されるので、水圧が高くても止水部材の大きな抜け止め作用が生じる。
【００１６】
【発明の実施の形態】
以下、本発明の実施形態を図面に基づいて説明する。
【００１７】
図１及び図２を参照して、まず本発明の仕切弁の不断水撤去装置について説明する。
【００１８】
両図において、１は、埋設地盤を掘削して露出させた水道本管、２は、水道本管１の周囲に水密性を保持して装着された３分割構造の割Ｔ字管、３は、水道本管１の側壁に穿設された分岐孔４と連通するように側方に向けて割Ｔ字管２の分岐管部２ａに取付けられた仕切弁である。
【００１９】
５は撤去装置で、割Ｔ字管２の両側の水道本管１の外周面に固定された前後１対の支持体６、６と、その側端に取付けられた止水操作機構７とからなっている。
【００２０】
各支持体６は、水道本管１にボルト８とナット９により固定された左右１対の半円形の取付バンド１０、１０と、右方の取付バンド１０の右端中央に螺着された右方を向く支持杆１１とからなり、両支持杆１１の右端には、垂直の支持板１２がナット１３により固着されている。
【００２１】
上記止水操作機構７は、分岐管部２ａと同軸をなし、左端側を除いた外周面に逆雄ねじ１４が形成された中空パイプ状の進退ロッド１５と、この中に左右方向に摺動可能に嵌挿された移動ロッド１６と、進退ロッド１５の逆雄ねじ１４に中心の雌ねじ筒１７が螺合された操作ハンドル１８と、進退ロッド１５の左端にねじにより着脱可能に固定された受け板１９の左面に固着した止水ゴム２０と、移動ロッド１６の左端にピン２１により取外し可能に嵌合され、外周面に形成された逆雄ねじ２２を受け板１９の中心の雌ねじ孔２３に螺合したジョイント２４と、この左端に回転自在に嵌合され、外周面が止水ゴム２０のテーパ孔２０ａ内に進入可能なテーパ面２５ａとなっている押皿２５とを備えている。
【００２２】
上記受け板１９と押皿２５の外径は、仕切弁３における右端部の分岐管（図示略）取付部３ａ及び分岐管部２ａ内に挿入しうるように、それらの内径よりも若干小さくしてあり、また、止水ゴム２０の拡張前の外径は、挿入時に仮止水作用を有するように、上記分岐管部２ａの内径とほぼ同等か、僅かに小としてある。
【００２３】
上記操作ハンドル１８の雌ねじ筒１７の外周面は、支持板１２の挿通孔部に取付けたベアリング２６により回転自在に保持されている。
【００２４】
支持板１２には、仕切弁３の撤去の際に用いられる仮止めフランジ板２７を取付けておくための複数の支持ボルト２８が、左方に突出させてナットにより固定されている。
【００２５】
次に、上記撤去装置５を用いた仕切弁３の撤去方法について説明する。
【００２６】
まず、図１及び図２に示すように、仕切弁３の弁体２９を下降させて、水道本管１よりの水の流れを遮断し、仕切弁３の取付部３ａより分岐管を取外したのち、上記撤去装置５を水道本管１に取付ける。
【００２７】
次いで、図３に示すように、操作ハンドル１８を回転させて進退ロッド１５を左方にねじ送りし、その先端の受け板１９と止水ゴム２０及び移動ロッド１６の先端の押皿２５を、仕切弁３の取付部３ａ内に挿入したのち、予め進退ロッド１５に水密性を保持して嵌挿され、支持ボルト２８により支持しておいた仮止めフランジ板２７を取外し、取付部３ａのフランジにボルト止めする。
【００２８】
次いで、仕切弁３の弁体２９を引上げて開弁したのち、図４に示すように、さらに進退ロッド１５を前進させて、受け板１９、止水ゴム２０及び押皿２５を、割Ｔ字管２の分岐管部２ａ内に挿入する。
【００２９】
次いで、図５に示すように、移動ロッド１６を、進退ロッド１５を回転不能に保持した状態で回転させ、ジョイント２４部をねじ送りにより右方に引き込むことにより、押皿２５を止水ゴム２０内に嵌合し、これを拡張させて止水する。
【００３０】
この状態で、仕切弁３を分岐管部２ａより取外し、進退ロッド１５に挿通したまま、図示しない重機等により吊支するとともに、仮止めフランジ板２７を取外して、再度支持ボルト２８により支持したのち、分岐管部２ａのフランジに、円板状の仮固定板３０をボルト止めする。
【００３１】
仮固定板３０は、図１０及び図１１に示すように、中心に受け板１９の外径よりも小さな半円孔を有する２分割構造の１対の半円板３０ａ、３０ａよりなり、各半円板３０ａの突合わせ部の一方の端部上面には、それぞれの半円板３０ａにおける他方の端部上面に互いに重合し合う補強片３１が溶接により固着されている。各補強片３１の重合部側には、各半円板３０ａの端部のボルト挿通孔３２と整合する通孔３３が穿設されている。
【００３２】
このような構造の仮固定板３０を分岐管部２ａのフランジにボルト止めすると、各半円板３０ａの対向端部の両端部同士が、各補強片３１により共締めされて互いに補強されるので、ボルトの本数が少なくても、受け板１９、止水ゴム２０及び押皿２５の強力な抜け止めがなされる。
【００３３】
仮固定板３０を取付けたのち、図６に示すように、進退ロッド１５の先端を受け板１９のスタッドボルトより取外すとともに、移動ロッド１６の先端を、ピン２１（図２参照）を引き抜いてジョイント２４より取外し、それらを右方に移動させる。
【００３４】
次いで、両ロッド１５、１６と分岐管部２ａとの間より、仕切弁３を撤去する。
【００３５】
次いで、図７に示すように、中心に受け板１９の外径よりも若干小さな挿通孔３４ａが穿設された一体構造の円板形の本固定板３４を、進退ロッド１５に挿入しておいてから、再度進退ロッド１５の先端を受け板１９に取付け、それと止水ゴム２０及び押皿２５の抜け止めを図る。
【００３６】
次いで、図８に示すように、仮固定板３０を取外したのち、本固定板３４を分岐管部２ａのフランジにボルト止めする。
【００３７】
最後に、図９に示すように、進退ロッド１５を受け板１９より取外し、水道本管１に取付けた撤去装置５全体を撤去したのち、本固定板３４の挿通孔３４ａにキャップ３５を嵌着すれば、一連の作業が完了する。
【００３８】
以上説明したように、上記実施形態の仕切弁の撤去方法によれば、２分割構造の仮固定板３０を用いて、受け板１９や止水ゴム２０等の抜け出しを一時的に防止し、進退ロッド１５等を割Ｔ字管２より離間させて仕切弁３を完全に撤去するようにしているため、その後の本固定板３５等の取付作業等に仕切弁３が邪魔になることはなく、作業性が向上する。
【００３９】
また、仕切弁を完全に撤去できない従来のもののように、進退ロッド１５等の寸法を大として大きな作業用スペースを確保する必要がないので、大きな作業用ピットを掘削する必要もなく、その作業や埋め戻し作業が容易となる。
【００４０】
さらに、工事終了時まで、取外した仕切弁３を吊支したり支持しておく装置等が不要となるので、工費が削減される。
【００４１】
上記実施形態の撤去装置５においては、止水ゴム２０による止水作業を、中空状の進退ロッド１５内に挿入した移動ロッド１６を回転させ、その先端の押皿２５を止水ゴム２０のテーパ孔２０ａ内に引き込んでこれを拡張することにより行っているため、従来の複数の引き寄せボルトの操作により行うものに比して、作業性がよく、かつ止水ゴム２０を径方向に均一に拡張しうるので、確実に止水される。
【００４２】
本発明は、上記実施形態に限定されるものではない。
【００４３】
上記実施形態では、止水ゴム２０を分岐管部２ａ内に嵌挿する際の漏水を最小限とするために、仕切弁３の開口端に仮止めフランジ板２７を取付けるようにしているが、水道本管１内の水圧が比較的低い場合には、仮止めフランジ板２７は省略することもある。
【００４４】
また、分岐管部２ａよりの受け板１９や止水ゴム２０等の抜け防止を確実なものとするために、仕切弁３の撤去後において仮固定板３０を取外し、その代わりに一体構造の円板形の本固定板３４に付け換えているが、水道本管１内の水圧が低く、仮固定板３０でも十分な抜け防止が図れる場合には、本固定板３４の取付工程は省略することもある。
【００４５】
仮固定板３０は、上記形状の外、補強片３１を省略した２分割構造や３分割構造又は、取付部３ａの複数の取付孔に個々に取付けられる固定片のようなものとしてもよい。
【００４６】
上記装置において、支持板１２に雌ねじ孔を穿設して、これに進退ロッド１５の雄ねじ１４を螺合し、進退ロッド１５の軸端にハンドル等を取付けて直接回転させ、ねじ送りするようにしてもよい。
【００４７】
また、進退ロッド１５の内面に形成した雌ねじに、移動ロッド１６の外周面に形成した雄ねじを螺合させて、移動ロッド１６を進退ロッド１５に対してねじ送りするようにし、押皿２５を引き込むようにしてもよい。
【００４８】
【発明の効果】
本発明によれば、次のような効果を奏することができる。
【００４９】
（ａ）請求項１記載の方法によれば、作業の途中において仕切弁を完全に撤去しうるので、その後の作業能率が向上する。
【００５０】
また、仕切弁を作業終了時までに撤去できない従来のもののように、ロッド等の寸法を大として大きな作業スペースを確保したり、大きな作業用ピットを掘削したり、最後まで取外した仕切弁を保持したりする必要がないため、作業性が向上するとともに、工費も削減される。
【００５１】
（ｂ）請求項２記載の方法によれば、水圧が高く、仮止水した止水部材より漏水したとしても、仮止めフランジ板が漏水した水を外部に流出するのを防止することができる。
【００５２】
（ｃ）請求項３記載の方法によれば、水圧が高くても、付け換えた一体構造の固定具により、止水部材の抜け防止が確実に行われる。
【００５３】
（ｄ）請求項４記載の装置によれば、比較的簡単な装置で、仕切弁の撤去作業を容易に行いうるとともに、移動ロッドの操作のみで、止水部材を径方向に簡単かつ均一に拡張しうるため、止水が確実となる。
【００５４】
（ｅ）請求項５記載の装置によれば、２分割構造の固定具であっても、互いの突合わせ部の両端部が、共締め可能な補強片により補強されるので、水圧が高くても止水部材の大きな抜け止め効果が得られる。
【図面の簡単な説明】
【図１】本発明の装置を水道本管に取付けた状態の平面図である。
【図２】同じく、図１の中央縦断正面図である。
【図３】本発明の方法において、受け板、止水ゴム、押皿を仕切弁の開口端部内に挿入する工程を示す中央縦断正面図である。
【図４】同じく、仕切弁を開弁して、受け板、止水ゴム、押皿を分岐管内に挿入し、仮止水する工程を示す中央縦断正面図である。
【図５】同じく、止水ゴムを分岐管内で拡張させたのち、仕切弁を取外し、仮固定板を取付ける工程を示す中央縦断正面図である。
【図６】同じく、受け板と押皿より進退ロッドと移動ロッドを取外して、仕切弁を撤去する工程を示す中央縦断正面図である。
【図７】同じく、再度受け板と押皿に進退ロッドと移動ロッドを取付ける工程を示す中央縦断正面図である。
【図８】同じく、仮固定板を取外して本固定板を取付ける工程を示す中央縦断正面図である。
【図９】同じく、受け板と押皿より進退ロッドと移動ロッドを取外して、本固定板にキャップを試着したのち、撤去装置全体を取外した状態を示す中央縦断正面図である。
【図１０】仮固定板の平面図である。
【図１１】同じく、図１０のＸＩ−ＸＩ線の縦断側面図である。
【符号の説明】
１                水道本管
２                割Ｔ字管
２ａ              分岐管部
３                仕切弁
３ａ              分岐管取付部
４                分岐孔
５                撤去装置
６                支持体
７                止水操作機構
８                ボルト
９                ナット
１０              取付バンド
１１              支持杆
１２              支持板
１３              ナット
１４              逆雄ねじ
１５              進退ロッド
１６              移動ロッド
１７              雌ねじ筒
１８              操作ハンドル
１９              受け板
２０              止水ゴム（止水部材）
２０ａ            テーパ孔
２１              ピン
２２              逆雄ねじ
２３              雌ねじ孔
２４              ジョイント
２５              押皿（押圧部材）
２５ａ            テーパ面
２６              ベアリング
２７              仮止めフランジ板
２８              支持ボルト
２９              弁体
３０              仮固定板（固定具）
３０ａ            半円板
３１              補強片
３２              ボルト挿通孔
３３              通孔
３４              本固定板（固定具）
３４ａ            挿通孔
３５              キャップ
【図１】
0004618931.tif 000002
【図２】
0004618931.tif 000003
【図３】
0004618931.tif 000004
【図４】
0004618931.tif 000005
【図５】
0004618931.tif 000006
【図６】
0004618931.tif 000007
【図７】
0004618931.tif 000008
【図８】
0004618931.tif 000009
【図９】
0004618931.tif 000010
【図１０】
0004618931.tif 000011
【図１１】
0004618931.tif 000012